(57)【要約】【課題】  自動車のフロントガラスを覆う得る程度の面積を有し、かつ柔軟性を有する発泡ポリエチレンシート、夏にはアルミ入りの発泡ポリエチレンシートを使用することと、両面強力粘着剤の着いたマジックテープ（登録商標）により固定する方法を採用する。【解決手段】  寒冷地における自動車のフロントガラスへの凍結を防止したり、夏期における炎天下の直射日光を遮って自動車の車内温度の上昇及びフロンとパネルやハンドル及び座席自体が加熱されることを阻止することが出来る。【選択図】      図４
2006213155.tif 000002
【特許請求の範囲】
【請求項１】
車両のフロントガラスの外側の黒い部分の両端に、発泡ポリエチレンシートを貼るため縦に両面強力粘着剤の着いた黒いマジックテープ（登録商標）の片方を装着し固定し、車両のフロントガラスを覆い得る面積の、発泡ポリエチレンシートを用い、発泡ポリエチ  レンシートの両端にも両面強力粘着剤の着いた黒いマジックテープ（登録商標）を装着し合致させることにより固定させることができることを特徴とする車両用フロントガラスシート。
【発明の詳細な説明】
【技術分野】
【０００１】
本発明は、寒冷地において屋外に駐車した自動車のフロントガラスの凍結を防止し、及び夏期において炎天下に駐車した自動車内の温度上昇を抑制するために、発泡ポリエチレンシートを用いフロントガラス外側に両面強力粘着剤の着いたマジックテープ（登録商標）の片方を固定し、同じく発泡ポリエチレンシートにもマジックテープ（登録商標）を装着、しそれを排除保護するフロントガラスカバーである。
【背景技術】
【０００２】
寒冷地では、自動車を屋外に置いた場合、冬の明け方に気温が下がって冷え込むと、自動車のガラスが凍結してしまうと、視界が不透明になって、自動車を安全に運転することが出来ない。そのため、従来では、朝方乗車する際に、ぬるま湯をかけ、氷を解かしているのが現状である。
一方気温が高くなる夏期に炎天下に駐車された自動車の車内の温度は  短期間に７０℃以上に上昇するため、乗車の際運転者はドア又はウインドガラスを開いて室内が低下するのを待つことが多かった。しかし、運転者が直接接触するフロントパネルやハンドル及び座席自体が熱くなったままで直ぐには温度が低下しなかった。そこで自動車のフロントガラスの内側にこのフロントガラスと略同形状のダンボール板等をおいて、直射日光を遮ることにより、車内温度の上昇を出来るだけ抑えることが試みられていた。
【０００３】
しかし、上記従来の寒冷地において、自動車（図６）全体にシートカバーを覆う事により、フロントガラスやドア等の凍結を防止する手段では、自動車（図６）の車体表面とシートカバー内面との間が密着し、ここに車体表面に生じた結露が接着剤のような作用をして車体面にシートカバーが頑固に凍結固着し、却ってこのシートカバーを剥がす事ができなくなるという問題を有していた。また、フロントガラスに部分的に保護シートを装着する手段は、フロントガラスに対する密着性が悪く、フロントガラスからずり落ちてしまうという問題を有していた。さらにこの保護シートはフロントガラスの表面に簡単に装着したものであるため、夜間に盗難され易いという問題も併有していた。
一方従来の夏期において、自動車のフロントガラスの内面にダンボール板などを置いて直射日光を遮る手段は、その取り扱いは容易であるが、室内温度の上昇を抑制する効果は低かった。なお、自動車（図６）全体を覆うシートカバーも直射日光を遮って室内温度の上昇を抑制する効果が有るが、駐車の際に毎回毎回このシートカバーを覆ったり剥がしたりかつ折りたたむことは、大変煩雑な作業になるため、現実には採用できないという問題を有していた。
本発明は、上記の問題に鑑みて創案されたものであり、簡単な構造により、発泡ポリエチレンシートを自動車に着実に装着し得ることにより、寒冷地における自動車のフロントガラスへの凍結を防止したり、炎天下における自動車この車内温度やフロントパネルなどの昇温を防止することが出来、取り扱いも容易の上、収納も柔軟性があり丸めれば場所を取らず、優れた自動車フロントガラスカバー装着を提供することを目的とするものである。
【発明の開示】
【発明が解決しようとする課題】
【０００４】
自動車のフロントガラスを覆う得る程度の面積を有し、かつ柔軟性を有する発泡ポリエチレンシート（夏にはアルミ入りの発泡ポリエチレンシート）を使用することと、両面強力粘着剤の着いたマジックテ―プ（登録商標）により固定する方法を採用、凍結を防止したり、炎天下における自動車の車内温度やフロントパネルなどの昇温を防止することが出来るものである。
【課題を解決するための手段】
【０００５】
上記で述べた構造によれば、自動車のフロントガラスに装着した発泡ポリエチレンシートがフロントガラスの結露が生ずることを阻止して、寒冷地における自動車のフロントガラスへの凍結を防止するとともに、夏期における炎天下の直射日光を遮って自動車の車内温度の上昇及びフロントパネルやハンドル及び座席自体が加熱されることを阻止することが出来る。
【発明の効果】
【０００６】
本発明に係る自動車のフロントガラスに装着した発泡ポリエチレンシートは、以上のように構成すれば自動車のフロントガラスに装着することで、寒冷地における屋外に注射した自動車のフロントガラスへの凍結を容易に防止することが出来る。また、下記における炎天下の直射日光を遮って自動車の車内温度の上昇及び、フロントパネルやハンドル及び座席自体が加熱されることを阻止することも出来る。フロントガラス部分にのみ覆う得るように構成したものであり、マジックテープ（登録商標）での固定であるから、取り付けと取り外しが迅速かつ容易に行い得る。その上柔軟性があるため、丸めることで車内またはトランクへの収納に場所を取らない。
従って、寒冷地における夜間の凍結防止に限らず、夏期において頻繁に取り付けたり、取り外すことが出来るため、使用性能が高い等の特徴を有するものであり、本発明の実施により得られる効果はきわめて大きいものと考える。
【発明を実施するための最良の形態】
【０００７】
本発明の係る自動車フロントガラスカバー用発泡ポリエチレンシートの実施例を図面に従って説明する図６は、本発明に係るフロントガラスカバー用発泡ポリエチレンシートの第一の実施例を示すものである。
図面において、図６は本発明に係るフロントガラスカバー用発泡ポリエチレンシートであり、自動車のフロントガラスを覆い得る程度の面積を有し、かつ柔軟性を有する発泡ポリエチレンシートである。
【図面の簡単な説明】
【０００８】
【図１】フロントガラスの外側両端縦に両面強力粘着剤のついたマジックテープ（登録商標）を貼った状態を示す斜視図
【図２】発泡ポリエチレンシートにマジックテープ（登録商標）を貼った状態を示す斜視図
【図３】図２に示す車両用のフロントガラスカバー装着の一部断面図
【図４】本発明のフロントガラスカバー装着の使用状態を示す斜視図
【図５】外したカバーの収納用の箱
【図６】シートカバーを貼った車の斜視図
【符号の説明】
【０００９】
１  自動車フロントガラス
２  マジックテープ（登録商標）
３  発泡ポリエチレンシート
４  シートカバー
【図１】
2006213155.tif 000003
【図２】
2006213155.tif 000004
【図３】
2006213155.tif 000005
【図４】
2006213155.tif 000006
【図５】
2006213155.tif 000007
【図６】
2006213155.tif 000008